(57)【特許請求の範囲】
【請求項１】
固定保持枠用の外枠と、この外枠の前側に片持ち形態で開閉可能に組付けられた開閉搭載枠用の前枠と、前枠の前側に片持ち形態で開閉可能に組付けられたガラス扉と、前枠裏側の収容保持枠内に着脱可能に収容セット保持される遊技盤と、前枠の裏側に片持ち形態で開閉可能に組付けられた裏機構セット盤とを備えたパチンコ遊技機に適用されるガラス扉開放保持機構において、
前記前枠の上辺部と前記ガラス扉の上辺部との間に亘り、前枠に対してガラス扉を所要開放位置に固定化保持するための回動変移可能な開放保持部材を掛装し、この開放保持部材の一端に形成した回動支点部を、前枠又はガラス扉の当該上辺部に回動可能に支持する一方、開放保持部材の他端に形成した係合固定部を、前枠又はガラス扉の当該上辺部に形成した係合保持部に着脱可能に係合するように構成されており、かつ、前枠の前記上辺部は、ガラス扉を前枠に対して開閉可能に支持する開閉支持部の非近傍部に形成され、ガラス扉の前記係合保持部は、ガラス板の交換が可能な前記開閉支持部の近傍に形成されていることを特徴とするパチンコ遊技機のガラス扉開放保持機構。
【請求項２】
前記係合保持部は、前記上辺部の２箇所の位置に形成され、
前枠とガラス扉とのなす角を、前記２箇所の位置の各々に応じた角度にして、前記ガラス扉を前枠に対して開放保持可能にした請求項１記載のガラス扉開放保持機構。
【発明の詳細な説明】
【０００１】
【発明の属する技術分野】
この発明は、ガラス扉を前枠に対して所要の位置に開放保持しうる、パチンコ遊技機に適用されるガラス扉開放保持機能に関するものである。
【０００２】
【従来の技術】
一般的なパチンコ機をはじめ、アレンジボール機、雀球遊技機等の球使用遊技機（以下、本明細書では「パチンコ遊技機」という）では、外枠に対して着脱及び開閉可能に組付けられる前枠の各部に、殆んどすべての遊技用構成部材が搭載されている。この構成部材の一つである遊技盤は、前枠に収納セットされており、前枠の開口前面側に装着されたガラス扉で覆蓋されている。このガラス扉は、サイズや付加的構造部分の有無等により多少の差異があるが、基本的には、前枠の左縁側で支軸を介して組付け支持されており、軽快かつ円滑に開閉し得る一方、反開閉支点側（右側）の施錠部で閉鎖状態にロック保持されるようになっている。そしてこのガラス扉は、主として遊技盤側の調整時や点検時において、その都度解錠して開放される。
【０００３】
前記のように、ガラス扉は、軽快に開閉し得ると共に一般的には９０度以上に開放可能であるところ、前枠の一端に設けられた前記支軸により片持ち状態で開閉自在に支持されている形式であることから、開放時にはその位置が非常に不安定な状態にあり、単に触れた程度でも変動してしまう。特に、遊技店内で遊技に供されている遊技機では、台全体が所要の傾き角度をもって設置されていることもあり、ガラス扉は、全開位置側へ開放された後に閉鎖位置側へ自然に変動する場合がある。また全開位置に押し付けたとしても、振動や微少な外力を受けた場合には、同様に閉鎖位置側へ変動することが多々ある。
【０００４】
ところで、この問題の解決を試みた従来技術には、開放保持機構を、ガラス扉を前枠に対し開閉可能に保持する開閉支持部上に設けたものがある。しかしながら、ガラス扉の開放状態において、ガラス扉に何らかの理由により力が作用した場合、その開放状態を維持するために、その力のモーメントに反抗するモーメントが開放保持機構内に発生するところ、開放保持機構が開閉支持部という、モーメント軸から極めて近い場所に設置されているため、それと反比例して開放保持機構内に発生する反力が大きくなる。そのため、無視できない反力が繰返し開放保持機構を介して前枠へ伝わり、前枠の疲労が進む結果、前枠のひび割れ等が生じる恐れがある。特に、最近多く採用されている樹脂製前枠がそのようになり易い。
【０００５】
【発明が解決しようとする課題】
本発明は、長期間にわたって、パチンコ遊技機の前枠のひびや破壊を防止しつつ、ガラス扉を所望の開放状態に安定保持しうる技術を提供することを目的とする。
【０００６】
【課題を解決するための手段】
本発明は、前述した課題を好適に解決するべく提案されたもので、固定保持枠用の外枠と、この外枠の前側に片持ち形態で開閉可能に組付けられた開閉搭載枠用の前枠と、前枠の前側に片持ち形態で開閉可能に組付けられたガラス扉と、前枠裏側の収容保持枠内に着脱可能に収容セット保持される遊技盤と、前枠の裏側に片持ち形態で開閉可能に組付けられた裏機構セット盤とを備えたパチンコ遊技機に適用されるガラス扉開放保持機構において、前記前枠の上辺部と前記ガラス扉の上辺部との間に亘り、前枠に対してガラス扉を所要開放位置に固定化保持するための回動変移可能な開放保持部材を掛装し、この開放保持部材の一端に形成した回動支点部を、前枠又はガラス扉の当該上辺部に回動可能に支持する一方、開放保持部材の他端に形成した係合固定部を、前枠又はガラス扉の当該上辺部に形成した係合保持部に着脱可能に係合するように構成されており、かつ、前枠の前記上辺部は、ガラス扉を前枠に対して開閉可能に支持する開閉支持部の非近傍部に形成され、ガラス扉の前記係合保持部は、ガラス板の交換が可能な前記開閉支持部の近傍に形成されていることを特徴とする。
また、前記係合保持部は、前記上辺部の２箇所の位置に形成され、前枠とガラス扉とのなす角を、前記２箇所の位置の各々に応じた角度にして、前記ガラス扉を前枠に対して開放保持可能にした。
【０００７】
【実施例】
次に本発明に係るパチンコ遊技機の開放保持機構の好適な実施形態を図面を参照しながら説明する。なお、本実施形態では、遊技盤の遊技領域内でセーフ球とアウト球の区分発生を含むパチンコゲームを展開しうる一般的なパチンコ機を主たる例とし、同機裏側に遊技済み球（セーフ球及びアウト球）の排出処理経路や球貯留供給装置そして各種の制御基板等を備えた裏機構が装備された実施形態を示す。また、本明細書において、「正面」、「裏面」、「左」及び「右」という場合、すべて正面前方を基準とする。
【０００８】
まずパチンコ機全体の基本的構成を図１〜図４を参照して説明すると、機枠又は外郭機体として所定の縦長方形枠サイズに構成されて設置枠台（遊技島ともいう）に固定保持される外枠Ａの前側開口面域に、これに合わせた縦長方形枠サイズに構成された開閉搭載枠用の前枠Ｂが、互いの正面左側上下部に配設された開閉連結支持手段（蝶番又はヒンジ部ともいう）Ｇ−１（１００、１０１）及び正面右側内部に配設された施錠装置Ｆを利用して、開閉（片持ち左右横開き）及び着脱が可能に組付けられて閉鎖状態に保持される。そして、この前枠Ｂの各部に必要な遊技構成部材として、前枠Ｂの前側面域に合わせた方形枠サイズのガラス扉（ガラス窓ともいう）Ｄが、開閉連結支持手段Ｇ−２及び施錠装置（図示せず）を利用して開閉（片持ち左右開き）及び着脱が可能に組付けられて閉鎖状態に保持される一方、下球皿１４及び打球発射装置１５が夫々装備されている。また、上球皿４２も、開閉連結支持手段及び施錠装置（共に図示せず）を利用して、開閉（片持ち左右開き）及び着脱が可能に組付けられて閉鎖状態に保持される。また、前枠Ｂの窓口裏側に合わせた方形枠サイズの収容枠１２に対して前記遊技盤Ｃが着脱交換可能に収容セット保持されて前面の遊技領域を前記ガラス扉Ｃの正面に望ませており、前枠Ｂの裏側に前記裏機構セット盤Ｅが、開閉連結支持手段Ｇ−３（３００、３０１）及び施錠手段（掛け具１９、止め具７０）を利用して片持ち左右横開き可能に組付けられて閉鎖状態に保持されている。
【０００９】
なお、前記外枠Ａは、木材製の縦長方形枠を例示し、前記前枠Ｂと収容枠１２とは、一体に樹脂成形された前後二重枠形態を例示する。また、前記遊技盤Ｃは、収容枠１２の収容面域の内法に合わせた方形サイズで裏側から着脱されるタイプを例示し、盤前面のレール３０の内側に、各種の遊技部品（入賞成立発生する大小の入賞具や図柄表示装置を含む）と多数本の遊技釘との配置設定に基づく前記遊技領域とアウト口を構成しており、そして収容面域の周囲に配設された施錠手段（係合レバー）１７で固定保持されるようになっている。
【００１０】
前枠Ｂの開放保持機構Ｈ−１
好適に推奨される前枠の開放保持機構Ｈ−１を、図４〜図７に示す。図４のｂに示されるように、開放保持部材４００を外枠Ａの上枠杆１下に収納するためのフック部材４０１（金属製）が、上枠杆１下にねじで締付固定されている。開放保持部材４００は、図５に示されるように、フック部材４０１（図４のｂ参照）に対して開閉連結支持手段Ｇ−１寄りの、外枠Ａの上枠杆１下に固定された回動支点ねじ（回動支点部）４０２に回動可能に支持されている。開放保持部材４００の自由端４００ａは、後述の凹状の係合保持部４０３ａ又は４０３ｂと係合する係合固定部４００ｂを有する。係合固定部４００ｂは、ナット部材４００ｃ、鍔部材４００ｄ及び間軸部４００ｅ（この幅は、係合保持部４０３ａや４０３ｂの厚みより若干大きく設定される）からなり、間軸部４００ｅは、係合保持部４０３ａや４０３ｂの凹部と係脱可能である。これにより、開放保持部材４００の自由端４００ａを係合保持部４０３ａ又は４０３ｂにセットした後は、係合保持部４０３ａや４０３ｂに対しての自由端４００ａの前後の移動が制限される。開放保持部材４００の長さは、原則的に、回動支点部と係合保持部との距離に対応し、したがって、回動支点ねじ４０２と係合保持部４０３ａや４０３ｂがどこに設置されているかに依存する。また、開放保持部材４００の形状は、本実施例では、自由端４００ａ近傍で「く」の字形に曲げられているが、カーブ形等を含め、その形状は限定されない。更に、材質に関しても、金属製が好ましいものとして挙げられるが、十分な強度を有する限り、その他の材質でもよい。
【００１１】
係合保持部４０３ａ及び４０３ｂが形成された係合保持金具４０３は、前枠Ａに対する裏機構セット盤Ｅの開閉に干渉しないような、枠体１１の上枠杆１１ａの裏面の適当な位置に、ねじ等の手段により付設されている。本実施例においては、上枠杆１１ａの裏面上部に一体形成された凹部１１ｄ内に、係合保持金具４０３が付設されている。このような構成を採れば、非使用時に開放保持機構は邪魔にならない。
【００１２】
前枠の開放保持機構Ｈ−１において、開放した前枠Ｂを所望位置に保持する場合には、開放保持部材４００を回動させて、間軸部４００ｅを係合保持部４０３ａ又は４０３ｂ中に挿嵌し、係合固定部４００ｂと係合保持部４０３ａ又は４０３ｂとを係合させる。これにより、開放保持部材４００は外枠Ａと前枠Ｂとの間に係るストッパー部材として機能し、前枠Ｂは、所望位置（４０３ａに挿嵌させた場合は前枠に対して９０度の位置、図５の実線参照；４０３ｂに挿嵌させた場合は前枠に対して１００度の位置、図５の想像線参照）で拘束（ロック）され、安定に保持される（図４のｂ参照）。なお、前枠Ｂに対する拘束の解除は、係合固定部４００ｂを係合保持部４０３ａ又は４０３ｂから嵌脱させ、開放保持部材４００を元位置まで回動させることにより行われる。
【００１３】
回動支点部及び係合保持部の設置位置に関しては、開放保持機構Ｈ−１、前枠及び外枠の破損防止の観点から、いずれも開閉連結支持手段Ｇ−１上やその近傍（好適には５ｃｍ以内）に設けられていないことが好ましい。開閉連結支持手段Ｇ−１上やその近傍に設置されている場合には、前枠Ｂによる押圧（時として引張力）が非常に大きいため、開放支持部Ｇ−１やこの部品が付設された前枠・外枠の部分破壊が生じるからである。なお、本実施例においては、回動支点部が外枠側に設けられ、係合保持部が前枠側に設けられているが、その逆も可能である。
【００１４】
また、変更例として、裏機構セット盤Ｅを固定するための掛け具（上記例では、掛け具１９ａ）と開放保持機構Ｈ−１の係合保持金具（上記例では、係合保持金具４０３）とを一体化させた態様を示す。このような構成を採ることにより、部品点数が減り、製造効率が向上する。図８に示されるように、台座１１ｂにねじで締付固定された掛け具兼係合保持金具４０４は、閉鎖状態（前枠Ｂに対して裏機構セット盤Ｅが閉じた状態）において止め具７０ａ′と係合可能な掛け具部４０４ａと、開放保持部材４００の自由端４００ａが係脱可能な係合保持部４０４ｂとを有する。なお、前枠Ｂのロック状態における裏機構セット盤Ｅの開閉を担保するため、掛け具兼係合保持金具４０４は、前枠Ｂのロック状態において、開放保持部材４００が、止め具７０ａ′の回動や裏機構セット盤の開閉に干渉しないような位置や構造にする必要がある。このような構成を採ることにより、前枠Ｂがロックされている状況下でも、前枠Ｂに対する裏機構セット盤Ｅの固定を解除でき、かつ、裏機構セット盤Ｅの開閉が可能となる。
【００１５】
また、更なる変更例として、異なった形状の係合保持金具を図１２に示す。係合保持金具４０５は、開放保持部材４００の間軸部４００ｅが挿通可能な開口部４０５ａと、間軸部４００ｅがその両端（４０５ｃ、４０５ｄ）に移動可能な横長孔４０５ｂを有する。開口部４００ｅから挿入された開放保持部材の間軸部４００ｅは、レールとして機能する横長孔４０５ｂの内周面に沿って、第一の位置４０５ｃ及び第二の位置４０５ｄに移動可能である。そして、第一の位置４０５ｃ及び第二の位置４０５ｄにおいては、開放保持部材４００のナット部材４００ｃ又は鍔部材４００ｄが、係合保持金具４０５の横長孔４０５周辺部と当接することにより、開放保持部材は、第一の位置４０５ｂ及び第二の位置４０５ｃに固定される。このような構成を採ることにより、複数の掛け部としての機能を一部材が有することになるので、部品点数が減り製造効率が向上する。
【００１６】
更なる変更例として、開放保持部材が長手方向（左右方向）に移動可能な態様を図１０及び図１１に示す。まず、外枠Ａの上枠杆１の底面上にネジで締付固定されているレール４０６は、空隙４０７を長手方向に有している。開放保持部材４０８は、レール４０６の底面長手方向に設けられた開口部４０９を介して、空隙４０７内に収納されている可動回動支点部材４１０と結合している。なお、開放保持部材４０８の軸径は、開口部４０９よりも小さく設定されており、また、可動回動支点部材４１０の幅は、空隙４０７の幅より小さく開口部４０９の幅より大きく設定されている。前枠の開放保持の際には、図１０に示されるように、開放保持部材４０８を手前に引き出し、図中右端まで可動回動支点部材４１０を移動させ、その場所を中心として、開放保持部材４０８を回動させ（図中の想像線）、前枠Ｂに設けられた係合保持部にその自由端を係止させる。このような構成を採ることにより、長い開放支持部材の収納も可能となる。なお、この態様に関しては、前枠の開放保持機構Ｈ−１に限られず、ガラス扉の開放保持機構Ｈ−２や裏機構セット盤の開放保持機構Ｈ−３にも適用可能である。
【００１７】
ガラス扉Ｄの開放保持機構Ｈ−２
好適に推奨されるガラス扉Ｄの開放保持機構Ｈ−２も、前枠Ｂの開放保持機構Ｈ−１同様、ガラス扉Ｄの開放状態において前枠Ｂとガラス扉Ｄとの間にストッパー部材としての開放保持部材を介在させるという原理を採用している。以下、図１５及び図１６を参照しながら具体的に説明する。まず、ストッパー部材としての開放保持部材５００は、枠体１１正面に形成された長手窪み部２０に埋設された杆状収納部材（金属製）５０２内で、回動支点ねじ５０３により回動可能にその一端が支持されている（これについては後述する）。開放保持部材５００の自由端５００ａは、孔状の係止口５００ｂを有しており、その孔径は、後述の係合保持部４５（４５ａ、４５ｂ）がその中を貫通するのに十分なサイズが設定されている。開放保持部材５００の長さは、回動支点部と係合保持部との距離に対応し、したがって、回動支点ねじ５０３と係合保持部４５がどこに設置されているかに依存する。また、開放保持部材５００の形状は、本実施例では、直線状であるが、カーブ形等を含め、その形状は限定されない。更に、材質に関しても、金属製が好ましいものとして挙げられるが、十分な強度を有する限り、その他の材質でもよい。
【００１８】
開放保持部材５００の自由端５００ａの係止口５００ｂに貫入可能な係合保持部４５ａ及び４５ｂは、ガラス受け枠４１ａの上方位置に、ガラス扉Ｄの補強板４１と一体的に形成されている。
【００１９】
通常時、即ちガラス扉の閉鎖状態時では、図９に示されるように、開放保持部材５００は、杆状収納部材５０２内に収納されている。このように構成すれば、非使用時に開放保持部材が邪魔になることはない。なお、開放の際には、杆状収納部材５０２から開放保持部材５００を取出す必要があるところ、この操作を容易にするために、開放保持部材５００の後ろに指を差し込めるような空間５０４が設けられている。これにより、開放保持部材を容易に引き出すことができる。
【００２０】
このような機構Ｈ−２において、開放したガラス扉Ｄを所望位置に保持する場合には、開放保持部材５００を回動支点ねじ５０３を回動軸として回動させて、係止口５００ｂを係合保持部４５ａ又は４５ｂに差込む。これにより、開放保持部材５００は前枠Ｂとガラス扉Ｄとの間に係るストッパー部材として機能し、ガラス扉Ｄは、所望位置（４５ａに差込ませた場合は前枠に対して９０度の位置、４５ｂに差込ませた場合は前枠に対して１００度の位置）で拘束（ロック）され、安定に保持される（図４のａ参照）。なお、ガラス扉Ｄに対する拘束の解除は、係止口５００ｂを係合保持部４５ａ又は４５ｂから抜出し、開放保持部材５００を元位置まで回動させることにより行われる。
【００２１】
回動支点部や係合保持部の設置場所に関しては、特に、前枠Ｂ側でのそれらの設置位置が、樹脂製の前枠Ｂの疲労破壊防止の観点から重要である。前枠Ｂ側に設けられたこれらのいずれか（本実施例においては、回動支点部である回動支点ねじ５０３）の位置は、ガラス扉Ｄの開閉連結支持手段（Ｇ−２）非近傍部であることが必要である。ここで、開閉連結支持手段（Ｇ−２）非近傍部とは、好適には、開閉連結支持手段Ｇ−２から５ｃｍ以上離れた場所を指す。他方、ガラス枠側でのこれらのいずれか（本実施例においては、係合保持部４５ａや４５ｂ）の位置も、開閉連結支持手段Ｇ−２非近傍であることが好適であるが、必ずしも開閉連結支持手段Ｇ−２非近傍である必要はない。変更例として、図１５及び図１６中に想像線として示された係合保持部４５ｃは、開閉連結支持手段Ｇ−２近傍に設けられている。この位置でガラス扉Ｄを保持することにより、係合保持部４５ａ及び４５ｂで係止させた場合には物理的に不可能であった、ガラス板の交換が可能となる。
【００２２】
本実施例の変更例として、回動支点部（回動支点ねじ）をガラス扉Ｄ側に設置し、係合保持部を前枠Ｂ側に設置する態様が挙げられる。また、回動支点部や係合保持部の大きさや形状等も、前枠Ｂやガラス扉Ｄの形状等に応じて適宜変更可能である。また、開放保持部材５００は、バネ等を利用してロック方向側へ付勢するようにしてもよく、適度の弾性変形可能な素材により成形してもよい。開放保持部材５００の形状等も適宜変更可能であり、前枠Ｂやガラス扉Ｄの形状に合わせて設定すればよい。
【００２３】
裏機構セット盤Ｅの開放保持機構Ｈ−３
裏機構セット盤Ｅの開放保持機構Ｈ−３の好適な３例を、図５、図１３、図１４及び図１７〜図１９を参照しながら説明する。まず、第一の例は、図５及び図１４に示されるように、前枠Ｂと裏機構セット盤Ｅとの間に、ストッパ部材としての開放保持部材６０２を介在させることにより、裏機構セット盤Ｅを保持するという態様である。開放保持部材６０２は、裏機構セット盤Ｅの正面の適当な位置に設けられた回動支点部（例えばねじ等）により回動可能に支持されている（図示せず）。図１４（ｂ）に示されるように、開放保持部材６０２の自由端は、孔状の係止口６０２ａを有しており、その孔径は、後述の凸部１１ｅが係止口６０２ａに貫入するのに十分なサイズに設定されている。開放保持部材６０２の長さは、回動支点部と係合保持部との距離に対応し、したがって、回動支点部と係合保持部がどこに設置されているかに依存する。また、開放保持部材６０２の形状は、本実施例では、直線状であるが、カーブ形等を含め、その形状は限定されない。更に、材質に関しても、金属製が好ましいものとして挙げられるが、十分な強度を有していればその他の材質でもよい。
【００２４】
凸部１１ｅは、前枠Ｂの上枠杆１１ａの裏上面に一体的に設けられた、裏機構セット盤の掛け具１９ａが付設された台座１１ｂ上に、一体的に設けられている。
【００２５】
第一の例において、開放した裏機構セット盤Ｅを所望位置に保持する場合には、開放保持部材６０２を回動支点部を軸として回動させて、係止口６０２ａを凸部１１ｅに貫入する。これにより、開放保持部材６０２が裏機構セット盤Ｅと前枠Ｂとの間に係るストッパー部材として機能し、裏機構セット盤Ｅは、所望位置（約８５度）で拘束（ロック）され、安定に保持される（図５の想像線参照）。なお、拘束の解除は、係止口６０２ａを凸部１１ｅから離脱させ、開放保持部材６０２を回動支点部を軸として元位置まで回動させることにより行われる。
【００２６】
回動支点部及び係合保持部の設置場所に関しては、破損防止の観点から、いずれも開閉連結支持手段Ｇ−３やその近傍（好適には、開閉連結支持手段Ｇ−３から５ｃｍ以内）に設けられていないことが好ましい。開閉連結支持手段Ｇ−３やその近傍に設置されている場合には、裏機構セット盤Ｅの重さに起因して生じる力により、開放支持部Ｇ−３やこの部品が付設された前枠Ｂ・裏機構セット盤Ｅの部分破壊が生じるからである。なお、本実施例においては、回動支点部が裏機構セット盤Ｅ側に設けられ、係合保持部が前枠Ｂ側に設けられているが、その逆も可能である。
【００２７】
第二の例は、図５及び図１３に示されるように、前枠Ｂの開放保持部材４００の周面上にストッパ部材６００を有する態様である。ストッパ部材６００は、開放保持部材４００上に回動及び移動可能に保持されている。また、ストッパ部材６００を貫通し開放保持部材４００に当接可能なネジ６０１の締め付けにより、ストッパ部材６００を所望位置・角度で固定可能である。裏機構セット盤Ｅの保持時には、ストッパ部材６００は、図１３（ｂ）に実線として例示されるように、鉛直下向きに配される。その結果、図１３（ａ）や図５に示されるように、ストッパ部材６００の自由端６００ａが、裏機構セット盤Ｅの正面と当接し、裏機構セット盤Ｅが所望の位置でストッパ部材６００により係止される。また、非保持時には、ストッパ部材６００は、図１３（ｂ）に想像線として例示されるように、その自由端６００ａが水平方向に配される。その結果、裏機構セット盤Ｅの開閉に際してのストッパ部材６００（特に自由端６００ａ）の干渉を防止できると共に、外枠Ａ内への開放保持部材４００の収納が容易となる。
【００２８】
次に、第三の例を図１７及び図１８に示す。レバー部材６０３は、先端がフック状のアーム部６０３ａと軸部６０３ｂとが一体化したものであり、ネジ６０４を軸として回動可能に支持されている。レバー部材６０３は、例えば、外枠Ａの上枠杆１の底面右側に設けられた下方に延びる部材に設置されている。レバー６０３は、回動により、外枠Ａ内に収納される位置（図示せず）と、図１７や図１８に示すような、玉タンク７２の縁がアーム部にフックされる位置とを取り得る。そして、レバー６０３が玉タンク７２の縁と係合することにより、図１７に示されるような、外枠Ａに対し裏機構セット盤Ｅが若干開いた状態を維持することができる。
【００２９】
なお、上記態様においては、レバー部材６０３と、開放保持部材４００を外枠Ａ内に保持するフック部材４０１とが別体であるが、図１９に示されるように、両者を一体化してもよい。このような構成を採ることにより、部品点数を減らすことができるので製造効率が上がる。フック兼レバー支持金具６０５は、その上部に、開放保持部材４００を外枠内に保持するフック部６０５ａを、また、その下部に、レバー６０６をねじ６０７を軸として回動可能に支持する突出部６０５ｂを有する。
【００３０】
遊技盤Ｃの脱着機構J（レバー部材）
遊技盤Ｃの脱着機構J（レバー部材）を、図２０、図２１及び図２３を参照しながら説明する。レバー部材７００は、押出し部７００ａ、遊技盤支持部７００ｂ及びハンドル部７００ｃから構成されている。レバー部材７００は、前枠Ｂの上枠杆１１ａの裏側にネジで付設された金属製の台座７０１に、ネジ７０２により回動可能に支持されている。遊技盤Ｃが収容保持枠１２に保持されている状態においては、図２０に示されるように、レバー部材７００の遊技盤支持部７００ｂが、遊技盤Ｃが収容保持枠１２から脱着しないように、遊技盤Ｃの裏面上部を支持している。この際、レバー部材７００の押出し部７００ａは、遊技盤Ｃの前面上端と前枠Ｂの上枠杆１１ａ裏面との間の間隙３５内に位置している。また、遊技盤Ｃの保持解除状態においては、図２１に示されるように、レバー部材７００のネジ７０２を軸とした反時計回りの回動に従い、遊技盤支持部７００ｂによる遊技盤Ｃの支持が解除されると共に、押出し部７００ａにより遊技盤前面上端が押出される。このような構成を採ることにより、遊技盤の脱着が容易に行えるようになる。
【００３１】
また、変更例として挙げる、遊技盤Ｃの脱着機構（レバー部材）は、図２２及び図２４に示されるようなレバー部材７０３からなる。レバー部材７０３は、押出し部７０３ａ及びハンドル部７０３ｂから構成されている。レバー部材７０３は、前枠Ｂ上枠杆の裏側にネジで付設された金属製の台座７０４に、ネジ７０５を軸として回動可能に支持されている。遊技盤Ｃが収容保持枠１２に保持されている状態においては、図８に示されるように（実線部分）、レバー部材７０３は、台の横方向に向けられており、レバー部材７０３の押出し部７０３ａは、遊技盤Ｃの前面上端と上枠杆１１ａの裏面上端との間の間隙３５に位置している。また、遊技盤Ｃの保持解除状態においては、図８及び図２２に示されるように、ネジ７０５を軸としてのレバー部材７０３の回動に従い、押出し部７０３ａにより遊技盤Ｃの前面上部が押出される。このような構成を採ることにより、遊技盤の脱着が容易に行えるようになる。
【００３２】
遊技盤Ｃの着脱機構J（ローラ機構）
遊技盤Ｃの着脱機構J（ローラ機構７０４）は、図２６に示されるように、ローラ部材７０４ａ（好適には金属製）と軸受金具７０４ｂとからなる。ローラ部材７０４ａは、その両端面上にそれぞれ突出する回転軸を有し、これら回転軸が、軸受金具７０４ｂの軸受上に回転可能に保持されている。ローラ機構７０４は、図３に示されるように、収容保持枠１２の下枠杆１２ｃの一部の壁がローラ機構分開放された所の真下２箇所に設置されている。詳細には、ローラ７０４ａが、回転軸を横（左右方向）にし、かつ前記開放部分から若干顔を出すように、軸受金具７０４ｂがねじにより前枠Ｂの裏面に締付固定されている。なお、ローラ７０４ａは、ローラ機構７０４が取付けられた状態においても、上部から取出し可能である。このような構成を採ることにより、遊技盤Ｃを取付ける際には、遊技盤Ｃの底部がローラ７０４ａの回動により容易にセット口内に進入し、また、遊技盤Ｃを取外す際にも、図２１に示されるように、遊技盤Ｃを後方に傾けつつ、遊技盤Ｃの底部がローラ７０４ａの回動により容易にセット口から排出される。
【００３３】
また、変更例として挙げる、遊技盤Ｃの脱着機構（ローラ機構）は、図２７及び図２８に示されるようなローラ機構７０５である。前記の例との相違点は、軸受金具７０５ｂの軸受にローラ７０５ａの軸を差込む向きが傾斜しており、したがって、取付け後は軸受からローラ７０５ａの着脱が不可能であることである。
【００３４】
【効果】
本発明に係るガラス扉開放保持機構においては、ガラス扉を開放した状態で開放保持部材を拘束保持方向に回動操作することにより、開放保持部材が前枠とガラス扉との間に係るストッパー部材と化し、ガラス扉が所望位置（例えば全開位置）に拘束保持される。したがって、遊技盤の前側点検や釘調整が容易となる。また、本発明に係るガラス扉開放保持機構においては、前枠側の回動支点部又は係合固定部は、ガラス扉を前枠に対して開閉可能に支持する開閉支持部の外側に設置されているので、前枠に負荷する反力が抑えられる結果、前枠の疲労の程度が著しく低下し、前枠のひび割れ等を長期間防止することができる。特に、樹脂製前枠での前記防止効果は顕著である。
【図面の簡単な説明】
【図１】本発明の実施例に係るパチンコ遊技機全体を示す正面図である。
【図２】本発明の実施例に係るパチンコ遊技機全体を示す背面図である。
【図３】本発明の実施例における、裏機構セット盤を除去した状態の前枠の背面図である。
【図４】本発明の実施例における、ガラス扉及び前枠の開放保持状態を示した上面図である。
【図５】本発明の実施例における、前枠の開放保持状態を示した上面図である。
【図６】本発明の実施例における、前枠の開放保持状態を示した側面図である。
【図７】本発明の実施例における、前枠の開放保持状態を示した側断面図である。
【図８】本発明の実施例における、前枠の開放保持状態を示した上面図である。
【図９】本発明の実施例における、ガラス扉の開放保持部材の収納状態を示した正面図である。
【図１０】本発明の実施例における、可動開放保持部材を下から眺めた図である。
【図１１】本発明の実施例における、可動開放保持部材の側断面図である。
【図１２】本発明の実施例における、（ａ）係合保持部の正面図であり、（ｂ）係合保持部の上面図である。
【図１３】本発明の実施例における、（ａ）裏機構セット盤の開放保持用ストッパ部材の側面図であり、（ｂ）その正面図である。
【図１４】本発明の実施例における、（ａ）裏機構セット盤の開放保持状態を一部示す背面図であり、（ｂ）その上面図である。
【図１５】本発明の実施例における、前枠の開放保持状態を示した上面図である。
【図１６】本発明の実施例における、ガラス扉の開放保持状態を示した側面図である。
【図１７】本発明の実施例における、裏機構セット盤の開放保持状態を示した上面図である。
【図１８】本発明の実施例における、裏機構セット盤の開放保持状態を示した側断面図である。
【図１９】本発明の実施例における、裏機構セット盤の開放保持状態を示した側断面図である。
【図２０】本発明の実施例における、遊技盤が組み込まれた状態を示した側断面図である。
【図２１】本発明の実施例における、遊技盤が取外されつつある状態を示した側断面図である。
【図２２】本発明の実施例における、遊技盤が取外されつつある状態を示した側断面図である。
【図２３】本発明の実施例における、レバー部材の分解斜視図である。
【図２４】本発明の実施例における、レバー部材の分解斜視図である。
【図２５】本発明の実施例における、ローラ機構を主として示す正面図である。
【図２６】本発明の実施例における、ローラ機構の分解斜視図である。
【図２７】本発明の実施例における、ローラ機構の側断面図である。
【図２８】本発明の実施例における、ローラ機構の拡大正面図である。
【符号の説明】
外枠  Ａ、上枠杆  １、左の側枠杆  ２、右の側枠杆  ３、下枠杆  ４、幕板５、前枠  Ｂ、セット口  １０、枠体  １１、上枠杆  １１ａ、台座  １１ｂ、下枠杆  １１ｃ、凹部  １１ｄ、凸部  １１ｅ、収容保持枠  １２、左の側枠杆  １２ａ、右の側枠杆  １２ｂ、下枠杆  １２ｃ、下の玉皿  １４、打球発射装置  １５、係合レバー  １７、軸（ねじ）１８、掛け具  １９、長手窪み部  ２０、遊技盤Ｃ、レール  ３０、むき出し面  ３４、間隙  ３５、ガラス扉Ｄ、補強板  ４１、ガラス受け枠４１ａ、開閉支盤  ４２、係合保持部  ４５ａ、４５ｂ、４５ｃ、裏機構セット盤  Ｅ、止め具  ７０、玉タンク  ７２、開閉連結支持手段（前枠）  Ｇ−１、蝶番  １００、部材  １００ａ、部材  １００ｂ、ピン部材  １００ｃ、蝶番  １０１、部材  １０１ａ、部材  １０１ｂ、ピン部材  １０１ｃ、開閉連結支持手段（ガラス扉）  Ｇ−２、開閉連結支持手段（裏機構セット盤）  Ｇ−３、蝶番  ３００、部材  ３００ａ、部材  ３００ｂ、ピン  ３００ｃ、蝶番  ３０１、開放保持機構（前枠）  Ｈ−１、開放保持部材  ４００、自由端  ４００ａ、係合固定部  ４００ｂ、ナット部材  ４００ｃ、鍔部材  ４００ｄ、間軸部  ４００ｅ、フック部材  ４０１、回動支点ねじ  ４０２、係合保持金具  ４０３、係合保持部  ４０３ａ、４０３ｂ、掛け具兼係合保持金具  ４０４、掛け具部  ４０４ａ、係合保持部  ４０４ｂ、係合保持金具  ４０５、開口部  ４０５ａ、横長孔  ４０５ｂ、第一の位置  ４０５ｃ、第二の位置  ４０５ｄ、レール  ４０６、空隙  ４０７、開放保持部材  ４０８、開口部  ４０９、可動回動支点部材  ４１０、開放保持機構（ガラス扉）  Ｈ−２、開放保持部材  ５００、自由端  ５００ａ、係止口  ５００ｂ、杆状収納部材  ５０２、回動支点ねじ  ５０３、空間  ５０４、開放保持機構（裏機構セット盤）  Ｈ−３、ストッパ部材  ６００、自由端  ６００ａ、ねじ  ６０１、開放保持部材  ６０２、レバー部材  ６０３、アーム部  ６０３ａ、軸部  ６０３ｂ、ねじ  ６０４、フック兼レバー支持金具  ６０５、フック部  ６０５ａ、突出部６０５ｂ、レバー  ６０６、ねじ  ６０７、脱着機構J、レバー部材  ７００、押出し部  ７００ａ、遊技盤支持部  ７００ｂ、ハンドル部  ７００ｃ、台座７０１、ねじ  ７０２、レバー部材  ７０３、押出し部  ７０３ａ、ハンドル部  ７０３ｂ、ローラ機構  ７０４、ローラ  ７０４ａ、軸受金具  ７０４ｂ、ローラ機構  ７０５、ローラ  ７０５ａ、軸受金具  ７０５ｂ
【図１】
0003688596.tif 000002
【図２】
0003688596.tif 000003
【図３】
0003688596.tif 000004
【図４】
0003688596.tif 000005
【図５】
0003688596.tif 000006
【図６】
0003688596.tif 000007
【図７】
0003688596.tif 000008
【図８】
0003688596.tif 000009
【図９】
0003688596.tif 000010
【図１０】
0003688596.tif 000011
【図１１】
0003688596.tif 000012
【図１２】
0003688596.tif 000013
【図１３】
0003688596.tif 000014
【図１４】
0003688596.tif 000015
【図１５】
0003688596.tif 000016
【図１６】
0003688596.tif 000017
【図１７】
0003688596.tif 000018
【図１８】
0003688596.tif 000019
【図１９】
0003688596.tif 000020
【図２０】
0003688596.tif 000021
【図２１】
0003688596.tif 000022
【図２２】
0003688596.tif 000023
【図２３】
0003688596.tif 000024
【図２４】
0003688596.tif 000025
【図２５】
0003688596.tif 000026
【図２６】
0003688596.tif 000027
【図２７】
0003688596.tif 000028
【図２８】
0003688596.tif 000029